(57)【要約】【課題】高いところに置いた場合でも、中のファイルを簡単に取り出すことができ、低いところに置いた場合でも、中のファイルを確実に確認できる、ファイル収納箱の提供を課題とする。【解決手段】複数のファイルを収納可能なファイル収納箱１であって、一面にファイルを出し入れする開口１１が設けられた収納箱本体１２と、開口１１を開閉するべく、開口１１の端縁に設けられた凹部２７に、回動自在に接続された蓋１３とを備える。【選択図】図１
2008174291.tif 000002
【特許請求の範囲】
【請求項１】
複数のファイルを収納可能なファイル収納箱であって、
一面に前記ファイルを出し入れする開口が設けられた収納箱本体と、
前記開口を開閉するべく、前記開口の端縁に設けられた凹部にヒンジを介して回動自在に接続された蓋と、
を備えることを特徴とするファイル収納箱。
【請求項２】
前記蓋は前記開口を開閉する長辺部と、前記凹部に前記ヒンジを介して接続された短辺部とによって断面略Ｌ字状に形成されていることを特徴とする請求項１に記載のファイル収納箱。
【請求項３】
前記蓋の開閉を案内するガイド手段を有することを特徴とする請求項１または２に記載のファイル収納箱。
【請求項４】
前記蓋は、前記蓋の開閉時に前記収納箱本体の内面に沿って移動するスライド板を有することを特徴とする請求項１から３の何れかに記載のファイル収納箱。
【請求項５】
前記ガイド手段は、前記収納箱本体又は前記スライド板の一方に設けられた案内溝と、他方に設けられ前記案内溝に挿入されたピンと、を有することを特徴とする請求項４に記載のファイル収納箱。
【請求項６】
前記案内溝は、前記蓋の前記長辺部の回動を案内する第１の円弧部と、前記蓋の前記短辺部の回動を案内する第２の円弧部と、を有することを特徴とする請求項５に記載のファイル収納箱。
【請求項７】
前記蓋を開放状態で保持する開放状態保持手段を有することを特徴とする請求項１から６の何れかに記載のファイル収納箱。
【請求項８】
前記開放状態保持手段は、前記案内溝における前記第２の円弧部に連続して設けられ、前記ピンの移動を制限するべく前記第２の円弧部より溝幅が狭く形成された溝状に形成されていることを特徴とする請求項７に記載のファイル収納箱。
【請求項９】
前記収納箱本体は、前記開口を形成する上板部、前記上板部の両側から前記上板部と直交する方向に延びる両側板部、及び前記上板部に平行で前記両側板部の端縁を連結する底板部と、前記開口の反対側に配置された後板部とを有し、
前記収納箱本体内には、前記両側板部及び前記底板部に沿って配置される断面略コ字状の補強部材が挿入されていることを特徴とする請求項１から８の何れかに記載のファイル収納箱。
【請求項１０】
前記補強部材には、前記収納箱本体の前記上板部に当接して前記補強部材の移動を規制する突起部が設けられていることを特徴とする請求項９に記載のファイル収納箱。
【請求項１１】
前記蓋の前記スライド板は、前記収納箱本体の前記両側板部と、前記補強部材との間に挿入されることを特徴とする請求項９または１０に記載のファイル収納箱。
【請求項１２】
前記蓋は前記開口の略上半分を開閉する上蓋と、前記開口の略下半分を開閉する下蓋とを有し、前記上蓋が前記収納箱本体における前記凹部の前記底に回動自在に接続され、前記蓋が閉じられた状態では、前記上蓋の端部と前記下蓋の端部が重なることを特徴とする請求項１から１１の何れかに記載のファイル収納箱。
【請求項１３】
前記収納箱本体、前記蓋の前記スライド板、及び前記補強板には、整合配置される取手孔が設けられ、これらの取手孔の周壁部が、前記収納箱本体及び前記スライド板によって二重に補強され、更に前記収納箱本体、前記スライド板及び前記補強板によって三重に補強されることを特徴とする請求項９から１２の何れかに記載のファイル収納箱。
【請求項１４】
前記側板部における前記蓋と接触する角部が円弧状に形成されていることを特徴とする請求項１から１３の何れかに記載のファイル収納箱。
【請求項１５】
前記側板部には、前記ヒンジの動作による影響を回避する切り欠きが設けられている請求項１から１４の何れかに記載のファイル収納箱。
【発明の詳細な説明】
【技術分野】
【０００１】
本発明は、複数のファイルを収納するファイル収納箱に関する。
【背景技術】
【０００２】
従来、複数のファイルを収納するファイル収納箱が知られている。従来のファイル収納箱は、上面に開口が設けられると共に、この開口が蓋によって開閉されていた。
【０００３】
しかし、上面に開口が設けられたファイル収納箱は、ファイル収納箱を高いところに置いた場合、中に収納されているファイルを取り出す際に、ファイル収納箱を低いところに降ろしてから、中のファイルを取り出す必要があり、手間がかかるという問題があった。
【０００４】
そこで、収納箱の前面に開口を設けると共に、この開口を蓋で開閉するファイル収納箱が提案されている。このファイル収納箱は、高いところに置いた場合でも、蓋をあけることにより、前面側から中のファイルを取り出すことができる。また、蓋は上側に回転させて開けるタイプと、下側に回転させて開けるタイプが提案されている。
【特許文献１】実開昭５９−６９１３４号公報
【特許文献２】特開２０００−１５９２１８号公報
【特許文献３】実公平７ー７１８８号公報
【発明の開示】
【発明が解決しようとする課題】
【０００５】
しかしながら、従来の前面に開口を設け、蓋を上側に回転させて開けるファイル収納箱は、中のファイルを取り出す際に、上側に開けた蓋を手で押さえるなどして開放状態を維持する必要があり、ファイルの取り出し作業が面倒になるという問題があった。
【０００６】
また、蓋を下側に回転させて開けるファイル収納箱は、ファイル収納箱を高いところに置いた場合に、開けた蓋が手前に突き出すので、ファイルの出し入れ作業の邪魔になるという問題があった。
【０００７】
そこで、蓋を上側に回転させて開け、且つ蓋をファイル収納箱の上面に沿って箱の内側にスライドさせるものが提案されている。しかし、このファイル収納箱は、構成が複雑で高価になるという問題があった。
【０００８】
本発明は、このような問題に鑑みなされたもので、高いところ又は低いところに置いた場合でも中のファイルを簡単に取り出すことができると共に、構成を簡略化できるファイル収納箱の提供を課題とする。
【課題を解決するための手段】
【０００９】
本発明は、前記課題を解決するため、以下の手段を採用した。
すなわち、本発明は、
複数のファイルを収納可能なファイル収納箱であって、
一面に前記ファイルを出し入れする開口が設けられた収納箱本体と、
前記開口を開閉するべく、前記開口の端縁に設けられた凹部に回動自在に接続された蓋と、
を備えることを特徴とする。
【００１０】
本発明のファイル収納箱は、段ボール、厚紙、樹脂製のシートなど、材質にとらわれる
ことなく形成できる。このファイル収納箱は、比較的高いところに置いた場合でも、蓋を開けることにより、前面側からファイルを簡単に出し入れすることができる。
【００１１】
また、蓋が開口の端縁における凹部に接続されているので、開口を通常より大きく開くことができ、ファイルの出し入れ作業が容易になる。また、開口が大きく開くので、ファイル収納箱を比較的低いところに置いた場合でも、中のファイルを確認するのが容易になる。
【００１２】
ここで、前記蓋は前記開口を開閉する長辺部と、前記凹部に接続される短辺部とによって断面略Ｌ字状に形成できる。この構成により、蓋を閉めたときに、短辺部及び長辺部が収納箱本体の外表面と略平坦になるようにできる。
【００１３】
また、前記蓋の開閉を案内するガイド手段を有する構成にできる。この場合は、蓋を安定良く開閉できる。
【００１４】
また、前記蓋は、前記蓋の開閉時に前記収納箱本体の内面に沿って移動するスライド板を有する構成にできる。この場合は、蓋の強度を高くできる。
【００１５】
また、前記ガイド手段は、前記収納箱本体又は前記スライド板の一方に設けられた溝と、他方に設けられ前記溝に挿入されたピンと、を有する構成にできる。これにより、ガイド手段の構成を簡略化できる。
【００１６】
また、前記溝は、前記蓋の前記長辺部の回動を案内する第１の円弧部と、前記短辺部の回動を案内する第２の円弧部とを有する構成にできる。
【００１７】
この場合は、断面略Ｌ字状に連結された蓋の短辺部と長辺部の回動を、別々の円弧部で案内するので、蓋を滑らかに且つ確実に開閉できる。
【００１８】
また、前記蓋を開放状態で保持する開放状態保持手段を有する構成にできる。この場合は、蓋を開放した際に、蓋を手で掴むことなく蓋の開放状態を保持できるので、ファイルの出し入れ作業が容易になる。
【００１９】
前記開放状態保持手段は、前記案内溝における前記第２の円弧部に連続して設けられ、前記ピンの移動を制限するべく前記第２の円弧部より溝幅が狭く形成された溝状に形成されている構成にできる。
【００２０】
また、前記収納箱本体は、前記開口を形成する上板部、前記上板部と直交する両側板部、及び前記上板部に平行且つ前記両側板部に直交する底板部と、前記開口の反対側に配置された後板部とを有し、前記収納箱本体内に挿入されて前記両側板部及び前記底板部に沿って配置される略コ字状の補強部材を有する構成にできる。
【００２１】
この構成により、収納箱本体の強度を高くできる。特に、収納箱本体における底板部と側板部との角部にかかる負担を軽減（加重を分散）でき、角部が切れるのを防止できる。
【００２２】
また、前記補強部材の端縁には、前記収納箱本体の前記上板部に当接して前記補強部材の移動を規制する突起部を有する構成にできる。この構成により、収納箱本体内に補強部材を安定良く保持できる。
【００２３】
また、前記蓋の前記スライド板は、前記収納箱本体の前記両側板部と、前記補強部材との間に挿入される構成にできる。この場合は、スライド板を安定良くスライドさせること
ができる。
【００２４】
また、前記蓋は前記開口の略上半分を開閉する上蓋と、前記開口の略下半分を開閉する下蓋とを有し、前記上蓋が前記収納箱本体における前記凹部の前記底に回動自在に接続され、前記蓋が閉じられた際に前記上蓋の端部と前記下蓋の端部とが重なるように構成できる。
【００２５】
この構成により、蓋を開いたときに上蓋と下蓋の先端が手前に突出する距離を短くできるので、狭いところでも蓋を開くことができる。
【００２６】
また、前記収納箱本体、前記蓋の前記スライド板、及び前記補強板には、整合配置される取手孔が設けられ、これらの取手孔の周壁部が、前記収納箱本体及び前記スライド板によって二重に補強され、更に前記収納箱本体、前記スライド板及び前記補強板によって三重に補強されるように構成できる。この構成により、取手孔の周壁部が切れるのを防止できる。
【００２７】
また、前記側板部における前記蓋と接触する角部を円弧状に形成できる。この構成により、蓋をスムーズに開閉できると共に、側板部における角部が蓋の開閉によって損傷するのを防止できる。
【００２８】
また、前記側板部には、前記ヒンジの動作による影響を回避する切り欠きが設けられている構成にできる。これにより、蓋の開閉時にヒンジの動作によって側板部が切れるのを防止できる。
【発明の効果】
【００２９】
本発明によれば、開口の端縁に設けた凹部に蓋が回動自在に接続されているので、開口をより大きく開くことができ、中のファイルを出し入れする作業が容易になる。更に、ファイル収納箱を低いところに置いた場合でも、ファイル収納箱より高い位置から中のファイルを確認するのが容易になるので、ファイルの出し入れが容易になる。
【発明を実施するための最良の形態】
【００３０】
以下、本発明の実施の形態を添付した図１から図１７に基づいて詳細に説明する。なお、以下の実施形態は例示であり、本発明は実施形態の構成に限定されない。
【００３１】
《第１の実施の形態》
図１は、本発明に係る第１実施形態のファイル収納箱１を示す。このファイル収納箱１は、複数のファイルを収納可能に構成されている。
【００３２】
すなわち、このファイル収納箱１は、一面にファイルを出し入れする開口１１が設けられ、且つ複数のファイルを収容する容積を有する収納箱本体１２と、開口１１を開閉する蓋１３と、収納箱本体１２内に挿入された補強部材１４とを備えている。なお、図１は、蓋１３を完全に開いた状態を示す。
【００３３】
次に、上記各構成要素について説明する。収納箱本体１２は、上板部２１、上板部２１の両側から直交方向に延びる左側板部２２及び右側板部２３、上板部２１に平行且つ左右側板部２２，２３の下端縁を連結する底板部２４と、開口１１の反対側に配置された後板部２５とを有している。
【００３４】
上板部２１、左右側板部２２，２３及び底板部２４は、四角形の筒を形成するように連結されている。また、左右側板部２２，２３の上板部２１側には、横長の取手孔２６が設
けられている。
【００３５】
蓋１３は、図２に示すように、開口１１の端縁に設けられた凹部２７に、ヒンジ２８を介して回動自在に接続されている。本実施形態では、収納箱本体１２の上板部２１における開口１１側の端縁２１ａに凹部２７が設けられている。
【００３６】
蓋１３は、図３に示すように、ヒンジ２８を介して凹部２７に接続された短辺部３１と、開口１１を開閉すべく開口１１と略同じ大きさを有する長辺部３２とを有している。これらの短辺部３１及び長辺部３２は、断面が略Ｌ字状を形成するように連結されている。
【００３７】
蓋１３の長辺部３２における両側には、図１に示すように、長辺部３２と略直交するスライド板３３，３３が設けられている。これらのスライド板３３，３３は、短辺部３１から切り離されている。
【００３８】
スライド板３３は、円の略１／４の部分円状（扇形状）に形成されている。このスライド板３３は、収納箱本体１２内における補強部材１４と左右側板部２２，２３との間に挿入されて、蓋１３の開閉時にスライドする。
【００３９】
スライド板３３には、図３に示すように、蓋１３を閉じた際に、収納箱本体１２の左右側板部２２，２３における取手孔２６と整合する横長の取手孔３４と、蓋１３の開閉を案内する案内溝３５が設けられている。左右のスライド板３３に設けられた案内溝３５は、互いに対象となるように形成されている。
【００４０】
案内溝３５は、主として蓋１３の長辺部３２の回動を案内する第１円弧部４１と、主として蓋１３の短辺部３１の回動を案内する第２の円弧部４２と、蓋１３を開放状態で保持する開放状態保持部４３とを有している。
【００４１】
案内溝３５の第１円弧部４１は、蓋１３の短辺部３１と長辺部３２の交点３６を中心とし、中心角が略８０度程度で半径が比較的大きな円弧状に形成されている。
【００４２】
また、第２円弧部４２は、第１円弧部４１に連続し、短辺部３１の長さと略同程度の半径で、中心角が略９０度の円弧状に形成されている。この第２円弧部４２は、第１円弧部４１の反対側に湾曲している。
【００４３】
第１円弧部４１及び第２円弧部４２の溝幅ｗ１は同一であり、後述のピン４５がその中を自由に移動できるように形成されている。なお、案内溝３５とピン４５によって蓋１３のガイド手段が構成されている。
【００４４】
開放状態保持部４３は、図４に示すように、短い溝状に形成されている。開放状態保持部４３の溝幅ｗ２は、第２円弧部４２の溝幅ｗ１より小さく、ピン４５の直径ｄと略同一又は若干小さく形成されている。
【００４５】
これにより、ピン４５と開放状態保持部４３の側壁との摩擦力が比較的大きくなり、ピン４５とスライド部３３との相対移動が制限される。従って、ピン４５が開放状態保持部４３に挿入された状態では、蓋１３が不用意に閉じるのを防止できる。
【００４６】
案内溝３５には、図１に示すように、収納箱本体１２の左右側板部２２，２３に設けられたピン４５が挿入されている。
【００４７】
このピン４５は、図５に示すように、鍔付きのボルト４６と、鍔付きのナット４７とを
有している。ナット４７は、ナットの外周側が円筒状に形成されている。このピン４５は、収納箱本体１２の左右側板部２２，２３における所定の位置、すなわち、スライド板３３の案内溝３５が通過する位置に固定されている。
【００４８】
図１の補強部材１４は、図６に示すように、互いに平行な左右の側板５１，５２と、側板５１，５２の下端縁を連結する底板５３とを有している。側板５１，５２及び底板５３は、断面が略コ字状になるように連結されている。
【００４９】
左右の側板５１，５２には、補強部材１４を収納箱本体１２に挿入した際に、収納箱本体１の左右側板部２２，２３の取手孔２６に整合する横長の取手孔５４が設けられている。
【００５０】
また、左右の側板５１，５２の上端縁には、図７に示すように、補強部材１４を収納箱本体１２に挿入した際に、収納箱本体１２の上板部２１に当接する突起部５５が設けられている。
【００５１】
このように左右の側板５１，５２の突起部５５が上板部２１に当接することにより、補強部材１４を収納箱本体１２内に挿入した際に、補強部材１４が位置ずれするのを抑制できる。また、左右の側板５１，５２が不用意に倒れるのを抑制できる。
【００５２】
図８は、収納箱本体１２及び蓋１３の展開図を示す。なお、図８中の実線で示した折り線６８は山折り線を示す。
【００５３】
収納箱本体１２の展開状態では、図８中の左端から右側に向けて、底板部２４，左側板部２２，上板部２１，右側板部２３が横一列に連結されている。
【００５４】
上板部２１の上側には台形状の糊代部６１が設けられている。左右側板部２２，２３には、ピン４５を挿入する孔６０が設けられている。
【００５５】
上板部２１の下側には、蓋１３が連結されている。蓋１３の左右両側には、スライド板３３が連結されている。スライド板３３と、左右側板部２２，２３の間には、切り込み６２が設けられている。また、蓋１３の長辺部３２の端縁には、指をかけるための円弧状の凹部６９が設けられている。更に、左右側板部２２，２３には、ヒンジ２８の作動により左右側板部２２，２３が切れるのを防止するため、凹状の切り欠き８１が設けられている。
【００５６】
また、上板部２１と左右側板部２２，２３との間には、蓋１３の短辺部３１と同一長さの切り込み６３が設けられている。両側の切り込み６３，６３の最深部の間には、ヒンジ２８が設けられている。
【００５７】
左右側板部２２，２３の上側には、後板部２５が設けられている。本実施形態では後板部２５が二分割され、組み立てた状態では分割部分の端部同士が重ねられる。右側板部２３の右側には、糊代部６５が設けられている。底板部２４の上側には、糊代部６６が設けられている。
【００５８】
図９は、補強部材１４の展開図を示す。この補強部材１４は、図９中の左端から右側に向けて、左側板５１，底板５３，右側板５２の順に連結されている。左右側板５１，５２の端部に突起部５５が設けられている。
【００５９】
図１０は、このファイル収納箱１の蓋１３を完全に閉じた状態を示す。この状態では、
蓋１３の短辺部３１が収納箱本体１２の上板部２１と略面一（平坦）になる。また、収納箱本体１２の開口１１は、蓋１３の長辺部３２によって完全に閉じられる。
【００６０】
次に、このファイル収納箱１の作用を説明する。蓋１３が完全に閉められた状態では、図１１に示すように、収納箱本体１２のピン４５が、蓋１３のスライド板３３における案内溝３５の第１円弧部４１の端部側に位置している。
【００６１】
この状態から、蓋１３を開放させる方向Ｃへの力が作用すると、図１２に示すように、スライド板３３の案内溝３５における第１円弧部４１がピン４５に沿って移動し、スライド板３３及び長辺部３２の移動方向が規制される。
【００６２】
これにより、蓋１３の長辺部３２が短辺部３１との交点３６を中心として、開口１１から離れる方向Ｃに回転する。これは、第１円弧部４１が交点３６を中心とする円弧状に形成されているからである。
【００６３】
なお、スライド板３３が短辺部３１から切り離されているので、長辺部３２が回転しても短辺部３１は殆ど回転しない。
【００６４】
長辺部３２の回転が進み、図１２に示すように、スライド板３３における案内溝３５の第２円弧部４２がピン４５に達すると、長辺部３２の回転が略停止する。
【００６５】
蓋１３を更に開放する方向Ｃへの力が作用すると、今度は図１３に示すように、第１円弧部４１と反対方向に湾曲した第２円弧部４２が、ピン４５に沿って相対的に移動する。
【００６６】
これにより、蓋１３の長辺部３２に上方向Ｄへの力が作用し、短辺部３１がヒンジ２８を中心として、上板部２１に対して立ち上がる方向Ｅに回転する。
【００６７】
そして、図１４に示すように、案内溝３５の開放状態保持部４３がピン４５に達すると、蓋１３の短辺部３１が上板部２１に対して略直角に立ち上げられ、長辺部３２が上板部２１に対して略平行に配置される。
【００６８】
この状態では、開放状態保持部４３によってピン４５の相対移動が制限され、スライド板３３の移動が規制されるため、蓋１３が不用意に閉じるのを防止できる。従って、蓋１３を手で掴むことなく開放状態を保持できるので、ファイルの出し入れ作業が容易になる。また、蓋１３が上側に開かれるので、蓋１３が邪魔になることなくファイル収納箱１の手前からファイルを出し入れすることができる。
【００６９】
また、この場合は、長辺部３２の先端３２ａが、収納箱本体１２側にずれて配置される。このように、長辺部３２が上板部２１より上側に配置され、且つ長辺部３２の先端３２ａが収納箱本体１２側にずれて配置されることにより、長辺部３２の先端３２ａと収納箱本体１２の底板部２４の先端２４ａとの間の間隔が、仮に凹部２７及び短辺部３１を設けることなく、長辺部３２を開口１１の端縁１１ａに直接接続した場合に比べて大きくなる。
【００７０】
従って、ファイル収納箱１が、人間の目より低いところに配置された場合でも、収納箱本体１２内のファイルを確認しやすくなる。
【００７１】
また、蓋１３の長辺部３２が上板部２１と略平行に配置されるので、蓋１３を開く際に上側に障害物があったとしても、その障害物との間に比較的狭い隙間（短辺部３１の長さより僅かに広い程度）があれば、蓋１３を完全に開放できる。
【００７２】
また、収納箱本体１２内に補強部材１４が挿入され、且つ補強部材１４の突起部５５が収納箱本体１２の上板部２１に当接するので、収納箱本体１２の強度が高くなると共に、補強部材１４の位置ずれ及び左右側板５１，５２の倒れを防止できる。
【００７３】
また、収納箱本体１２の左右側板部２２，２３に設けられたピン４５が、補強部材１４の左右側板５１，５２によって覆われるので、収納箱本体１２内にファイルを出し入れするときに、ファイルがピン４５に引っかかるのを防止できる。
【００７４】
また、ファイル収納箱１の内面が補強部材１４で覆われて平坦になるので、ファイルなどを出し入れする際に、スムーズに作業できる。
【００７５】
更に、蓋１３のスライド板３３が、収納箱本体１２の左右側板部２２，２３と、補強部材１４の側板５１，５２との間に挿入されてスライドするので、蓋１３の開閉が安定する。また、スライド板３３が中のファイルに接触して、ファイル又はスライド板３３が損傷するのを回避できる。
【００７６】
また、蓋１３を閉じた状態では、ファイル収納箱１を持ち上げるための収納箱本体１２の取手孔２６、蓋１３のスライド板３３の取手孔３４、及び補強部材１４の取手孔５４が整合配置される。
【００７７】
これにより、取手孔２６の周壁部が、収納箱本体１２の側板部２２，２３及びスライド部３３によって二重に補強され、更に、側板部２２，２３、スライド板３３及び補強部材１４によって三重に補強される。従って、取手孔２６などを使ってファイル収納箱１を持ち上げた場合に、取手孔２６などが破損するのを防止できる。
【００７８】
また、ファイル収納箱１の保管時又は運搬時などは、ファイル収納箱１２及び蓋１３を展開しておき、使用する際に簡単に組み立てることができるので、便利である。
【００７９】
《第２の実施の形態》
図１５は、本発明に係る第２実施形態のファイル収納箱７を示す。なお、第１実施形態のファイル収納箱１と同一の部分には、同一の符号を付けて詳細な説明を省略する。
【００８０】
このファイル収納箱７は、一面にファイルを出し入れする開口１１が設けられ、且つ複数のファイルを収容する容積を有する収納箱本体１２と、開口１１を開閉する蓋７３と、収納箱本体１２内に挿入された補強部材１４とを備えている。なお、図１５は、蓋７３を途中まで開いた状態、又は途中まで閉じた状態を示す。
【００８１】
蓋７３は、開口１１の略上半分を開閉する上蓋７４と、開口１１の略下半分を開閉する下蓋７５とを有している。上蓋７４は、収納箱本体１２における上板部２１の凹部２７に、ヒンジ２８を介して回動自在に接続されている。
【００８２】
この上蓋７４は、第１実施形態の蓋１３と略同様に構成されている。但し、上蓋７４の長辺部７６は、開口１１の略上半分を開閉する大きさに形成されている。また、上蓋７４の下部側の中央には、所定の長さの切り込み７７が設けられている、。
【００８３】
下蓋７５は、開口１１の略下半分を開閉する大きさで平板状に形成されている。この下蓋７５は、収納箱本体１２における開口１１の下端縁に、ヒンジ７８を介して回動自在に接続されている。また、下蓋７５の先端における中央には、円弧状の舌片７９が設けられている。舌片７９の両隅には、円弧状の凹部８０，８０が設けられている。
【００８４】
図１６は、ファイル収納箱７の蓋７３を完全に閉じた状態を示す。この状態では、上蓋７４の端部７４ａと下蓋７５の端部７５ａとが重なり、且つ上蓋７４の端部７４ａが下蓋７５の端部７５ａの下側（裏側）に配置される。
【００８５】
また、下蓋７５の舌片７９が、上蓋７４の切り込み７７から収納箱本体１２の内側に挿入される。これにより、上蓋７４の上側に配置された下蓋７５が上蓋７４に係止されるので、上蓋７４及び下蓋７５が不用意に開くのを抑制できる。
【００８６】
蓋７３を開く場合は、下蓋７５の先端にある凹部８０，８０に指などをかけて、下蓋７５を手前に引く。これにより、図１７に示すように、下蓋７５が回動して下方に開かれ、上蓋７４の端部７４ａが露出される。これによって、上蓋７４を上方に開くことができる。
【００８７】
このファイル収納箱７は、蓋７３が上蓋７４及び下蓋７５に分割されているので、上下蓋７４，７５を開いたときに、上下蓋７４，７５の先端７４ａ，７５ａが手前に突出する距離を小さくできる。従って、比較的狭いところでも蓋を開くことができる。
【００８８】
また、蓋７３を閉じたときには、上下蓋７４，７５の端部７４ａ，７５ａが重なるので、上下蓋７４，７５間に隙間ができるのを防止できる。
【００８９】
更に、上蓋７４が、第１実施形態の蓋１３と同様に、通常より大きく開くので、上方から中のファイルを確実に確認できる。
【００９０】
《第３の実施の形態》
図１８は、第３実施形態のファイル収納箱８を示す。このファイル収納箱８は、収納箱本体１２の側板部２２，２３（ハッチングを付けた部分）における蓋１３と接触する角部８２が円弧状（アール形状）に形成されている。
【００９１】
これにより、蓋１３をスムーズに開閉できる。また、収納箱本体１２の角部８２が損傷するのを防止できる。
【図面の簡単な説明】
【００９２】
【図１】本発明に係る第１実施形態のファイル収納箱における蓋を開いた状態を示す斜視図である。
【図２】本発明に係る第１実施形態の上板部における凹部を示す図であり、図１のＡ矢視図である。
【図３】本発明に係る第１実施形態の蓋及びガイド手段を示す図であり、図２のＢ−Ｂ断面図である。
【図４】本発明に係る第１実施形態のガイド手段の端部に設けられた開放状態保持手段を示す図である。
【図５】本発明に係る第１実施形態のピンを示す斜視図である。
【図６】本発明に係る第１実施形態の補強部材を示す斜視図である。
【図７】本発明に係る第１実施形態の補強部材の突起を示す斜視図である。
【図８】本発明に係る第１実施形態のファイル収納箱及び蓋の展開図である。
【図９】本発明に係る第１実施形態の補強部材の展開図である。
【図１０】本発明に係る第１実施形態のファイル収納箱における蓋を完全に閉じた状態を示す斜視図である。
【図１１】本発明に係る第１実施形態のガイド手段の作用を説明する図であり、蓋の長辺部が開き始めた直後の状態を示す断面図である。
【図１２】本発明に係る第１実施形態のガイド手段の作用を説明する図であり、蓋の短辺部が立ち上げられる直前の状態を示す断面図である。
【図１３】本発明に係る第１実施形態のガイド手段の作用を説明する図であり、蓋の短辺部が途中まで立ち上げられた状態を示す断面図である。
【図１４】本発明に係る第１実施形態のガイド手段の作用を説明する図であり、蓋の短辺部が完全立ち上げられ、蓋が完全に開かれた状態を示す断面図である。
【図１５】本発明に係る第２実施形態のファイル収納箱を示す図であり、蓋が途中まで開閉された状態を示す斜視図である。
【図１６】本発明に係る第２実施形態のファイル収納箱を示す図であり、蓋が完全に閉じられた状態を示す斜視図である。
【図１７】本発明に係る第２実施形態のファイル収納箱を示す図であり、蓋が完全に開かれた状態を示す斜視図である。
【図１８】本発明に係る第３実施形態のファイル収納箱を示す図である。
【符号の説明】
【００９３】
１，７  ファイル収納箱
１１  開口
１１ａ  開口の端縁
１２  収納箱本体
１３  蓋
１４  補強部材
２１  上板部
２２  左側板部
２３  右側板部
２４  底板部
２４ａ  底板部の先端
２５  後板部
２６  取手孔
２７  凹部
２８  ヒンジ
３１  蓋の短辺部
３２  蓋の長辺部
３２ａ  長辺部の先端
３３  スライド板
３４  取手孔
３５  案内溝
３６  短辺部と長辺部の交点
４１  第１円弧部
４２  第２円弧部
４３  開放状態保持部
４５  ピン
４６  ボルト
４７  ナット
５１  左側板
５２  右側板
５３  底板
５４  長孔
５５  突起部
６０  ピン取り付け用の孔
６１  糊代部
６２，６３  切り込み
６５，６６  糊代部
６８  山折り線
７３  蓋
７４  上蓋
７４ａ  上蓋の端部
７５  下蓋
７５ａ  下蓋の端部
７６  上蓋の長辺部
７７  切り込み
７８  ヒンジ
７９  舌片
８０  凹部
８１  切り欠き
８２  角部
【図１】
2008174291.tif 000003
【図２】
2008174291.tif 000004
【図３】
2008174291.tif 000005
【図４】
2008174291.tif 000006
【図５】
2008174291.tif 000007
【図６】
2008174291.tif 000008
【図７】
2008174291.tif 000009
【図８】
2008174291.tif 000010
【図９】
2008174291.tif 000011
【図１０】
2008174291.tif 000012
【図１１】
2008174291.tif 000013
【図１２】
2008174291.tif 000014
【図１３】
2008174291.tif 000015
【図１４】
2008174291.tif 000016
【図１５】
2008174291.tif 000017
【図１６】
2008174291.tif 000018
【図１７】
2008174291.tif 000019
【図１８】
2008174291.tif 000020